(57)【要約】【課題】複数枚の原稿について順次画像形成処理を行っている途中で画像形成処理が中断された場合に，画像形成処理が既に終了している原稿の次の原稿から画像形成処理を再開する画像形成装置の改良。【解決手段】複数の転写紙用給紙部の１つから供給された転写紙について，画像形成することなくその枚数を検出しながら排紙部に排出すると共に，上記転写紙枚数分だけ原稿を送り出すことで，記転写紙空送り・排出手段による前記転写紙の空送りで用いられていない転写紙用給紙部からの転写紙の供給を受けて，前記画像形成・定着手段による画像形成・定着処理を再開する。【選択図】図３
2004244199.tif 000002
【特許請求の範囲】
【請求項１】
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
複数枚の原稿について順次画像形成処理を行っている途中で画像形成処理が中断された場合に，画像形成処理が既に終了している原稿の次の原稿から画像形成処理を再開する画像形成再開手段とを備えてなる画像形成装置において，
上記画像形成再開手段が，
前記複数の転写紙用給紙部の１つから供給された転写紙について，画像形成することなく前記転写紙用排紙部に排出する転写紙空送り・排出手段と，
上記転写紙空送り・排出手段により排出された転写紙の枚数を検出する空送り転写紙枚数検出手段と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開手段とを備えてなることを特徴とする画像形成装置。
【請求項２】
上記画像形成・定着処理再開手段が，上記空送り転写紙枚数検出手段により検出された転写紙の空送り枚数と同じ枚数だけ原稿搬送・排出手段が原稿を送るときに，同時に前記原稿読取手段が原稿の読み取りを行なう請求項１記載の画像形成装置。
【請求項３】
上記画像形成・定着処理再開手段が，上記空送り転写紙枚数検出手段により検出された転写紙の空送り枚数と同じ枚数だけ原稿搬送・排出手段が原稿を送るときには，同時に前記原稿読取手段が原稿の読み取りを行なわない請求項１記載の画像形成装置。
【請求項４】
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法。
【請求項５】
画像形成再開工程が，画像形成の中断した画像形成装置において実行される請求項４記載の画像形成方法。
【請求項６】
画像形成再開工程が，画像形成の中断した画像形成装置以外の画像形成装置において実行される請求項４記載の画像形成方法。
【請求項７】
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法を実行可能なコンピュータ・プログラム。
【発明の詳細な説明】
【０００１】
【発明の属する技術分野】
本発明は，原稿読取手段によって読み取られた画像を複数の転写紙用給紙部の１つから供給された転写紙に画像形成すると共に定着させて，転写紙用排出部に排出すると共に，複数枚の原稿について順次画像形成処理を行っている途中で画像形成処理が中断された場合に，画像形成処理が既に終了している原稿の次の原稿から画像形成処理を再開する画像形成装置の改良に関するものである。
【０００２】
【従来の技術】
上記のような画像形成処理の再開を可能とした画像形成装置として従来次のようなものが存在する。
１．画像形成処理が中断した場合，それまでの画像形成済みの原稿枚数をカウントしておいた上で，画像形成済み及び画像形成のまだ行われていない全ての原稿を原稿自動送り装置にセットし，前記画像形成が中断されるまでにカウントされた原稿枚数だけ原稿を空送りし，その後の原稿について画像形成処理を再開するもの（特許文献１）。
２．デジタル複写機などにおいて順次読み取られた原稿画像の全てを記憶しておき，この原稿画像と空送りされる原稿の画像とを比較し画像の一致しているものから複写作業を再開させるようにしたもの（特許文献２）。
３．画像形成された原稿の枚数を記憶しておき，最初に設定された原稿枚数からこの画像形成済みの枚数を減算して画像形成を再開するべき原稿のペ−ジ数を算出し，算出された枚数から後の原稿について複写動作を再開するもの（特許文献３）
【０００３】
【特許文献１】特開平５−３２３７５３号公報
【特許文献２】特開平９−２３６９５０号公報
【特許文献３】特開２０００−０９８８２１号公報
【０００４】
【発明が解決しようとする課題】
上記特許文献１に記載された画像形成装置では，画像形成済の原稿枚数を記憶しておかなければならないので，画像形成中断の原因が，例えば画像形成装置の電源オフ等による場合には，上記原稿枚数の記憶値が消去される場合があり，画像形成済の原稿枚数を正しくカウントすることが出来ないという問題があった。
また特許文献２に記載された複写機などでは，画像形成済の原稿を記憶しておくメモリが必要であり高価となる問題があるばかりか，特許文献１と同様，画像形成装置の電源オフなどにより，記憶画像がクリアされた場合には，画像形成処理の再開が困難となる問題がある。
更に上記特許文献３による方法では，操作者が画像形成処理の再開にかかる原稿ページを自分で探し出さなければならないという煩わしさから操作者を解放できない。
更にこれら全ての従来例においては，画像形成処理の中断した画像形成装置によって画像形成処理を再開することを前提としているが，実際には画像形成処理の中断の原因として電源オフなどの発生であり，電源オフの解消がすぐに出来ない場合には，上記従来技術では長時間に渡って画像形成の再開が不能となる問題も指摘される。
従って本発明が目的とするところは，上記したような従来の画像形成処理の再開方法或は，装置における問題点を解決することであり，特に簡単な工程によって画像形成装置のメモリが消去された場合でも，また画像形成処理の中断の生じた画像形成装置或はそれ以外の画像形成装置においても画像形成処理の再開を可能とすることの出来る優れた画像形成装置，画像形成方法，或はこれを実施するためのコンピュータ・プログラムを提供することである。
【０００５】
【課題を解決するための手段】
上記目的を達成するために本発明は，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
複数枚の原稿について順次画像形成処理を行っている途中で画像形成処理が中断された場合に，画像形成処理が既に終了している原稿の次の原稿から画像形成処理を再開する画像形成再開手段とを備えてなる画像形成装置において，
上記画像形成再開手段が，
前記複数の転写紙用給紙部の１つから供給された転写紙について，画像形成することなく前記転写紙用排紙部に排出する転写紙空送り・排出手段と，
上記転写紙空送り・排出手段により排出された転写紙の枚数を検出する空送り転写紙枚数検出手段と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開手段とを備えてなることを特徴とする画像形成装置として構成されている。
上記画像形成・定着処理再開手段は，上記空送り転写紙枚数検出手段により検出された転写紙の空送り枚数と同じ枚数だけ原稿搬送・排出手段が原稿を送る時に，同時に前記原稿読取手段が原稿の読み取りを行なうように構成することが出来る。
また，上記画像形成・定着処理再開手段は，上記空送り転写紙枚数検出手段により検出された転写紙の空送り枚数と同じ枚数だけ原稿搬送・排出手段が原稿を送るときには，同時に前記原稿読取手段が原稿の読み取りを行なわないように構成することが出来る。
本発明を方法の発明として把握する場合，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法が把握される。
この場合，画像形成再開工程は，画像形成の中断した画像形成装置において実行される場合がある。
また画像形成再開工程が，画像形成の中断した画像形成装置以外の画像形成装置において実行される場合もありうる。
更に本発明をコンピュータ・プログラムの発明として把握することも出来る。この場合，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法を実行可能なコンピュータ・プログラムが把握される。
【０００６】
【発明の実施の形態】
続いて添付図面を参照して本発明を具体化した実施形態について説明し，本発明の理解に供する。
ここに図１は，本発明の一実施形態に係る複写機の概要を示す概念図，図２は，上記一実施形態に係る複写機の制御系統を示すブロック図，図３は，図２に示した制御部が実行する処理手順の一例を示するフロ−チャ−ト，図４は，他の処理手順を示すフロ−チャ−トである。
【０００７】
図１に示すようにこの複写機１は，多段に積み重ねられた複数の給紙トレイからなる転写紙用給紙部Ａ１，Ａ２，Ａ３，Ａ４，Ａ５（Ａ５はバイパストレイである）を具備している。
また複写機１は，原稿を順次自動的に送り出し，原稿排出部に排出する原稿搬送・排出手段の一例である用紙通路２を備えている。
上記用紙通路２は，例えば転写紙用給紙部Ａ４について言えば，この転写紙用給紙部Ａ４から転写紙を送り出すための送り出しロ−ラ−２ａ−４から送り出された用紙の先端を一旦停止させるレジスト部２ｂ−４と，転写部３と，定着部４と，排出部５と，排出トレイ６とから構成されている。
さらに上記複写機１は，原稿を順次自動的に送り出し，原稿排紙部７に排出する原稿搬送・排出手段の一例である自動原稿送り装置８を備えている。
上記自動原稿送り装置８は，ＡＤＦ（Ａｏｕｔ  Ｄｏｃｕｍｅｎｔ    Ｆｅｅｄｅｒ）と呼ばれる一般的なものである。図２に示すように，後記する制御部１０には，送り出される原稿の枚数をカウントする原稿枚数検出手段の一例である原稿カウンタ９，供給される原稿の有無を検出する原稿センサ１３などが接続されている。
また上記自動原稿送り装置８で送られた原稿は，図示しない光学的走査手段と，この光学的走査手段により検出された原稿画像をＣＣＤなどよりなるラインセンサによって読み取る原稿読取り手段を備えて構成されている。
上記用紙通路２については，最上段の転写紙用給紙部Ａ４に接続されたもののみを説明したが，他の転写紙用給紙部Ａ１〜Ａ３及びバイパストレイＡ５についても同様であるのでここでは説明を省略する。尚，バイパストレイＡ５には，該バイパストレイＡ５に供給される転写紙の有無を検出するバイパストレイ用紙センサ１４が設けられている。
【０００８】
次に図２を参照して上記複写機１の制御系統について説明する。
図２に示す如く複写機１の制御系統１ａは，ＣＰＵを具備する制御部１０を中心に構成され，上記ＣＰＵには，ＲＡＭ，ＲＯＭ，ハ−ドディスクＨＤＤなどが接続されている。上記制御部１０の入力部には操作部１１からの信号が入力される。
操作部１１は操作者との入力インタ−フェイスをなすものであり，本発明に係る画像形成・定着処理再開の指令を送出することはもちろん，複写枚数や複写開始の指令を入力するなど，操作者による入力デ−タを受け付けると供に，種々の情報を操作者に表示するための表示部を具備する一般的な入力機能を備えたモニタ−装置によって構成されている。
また上記制御部１０には，前記原稿カウンタ９の他，各転写紙用給紙部に設けられた，送り出される転写紙の枚数をカウントする転写紙カウンタ１２，原稿センサ１３，バイパストレイ用用紙センサ１３が接続され，それらからの情報が入力されている。
また上記制御部１０の出力部には，複写機１を駆動するための各種のモ−タＭやクラッチＣが接続され，制御部１０からの信号によりこれらのモ−タＭやクラッチＣが駆動されることによって図３や図４に示される画像形成・定着処理が実行される。これにより制御部１０は，後に詳しく説明する原稿空送り制御機能，転写紙空送り制御機能，カセット給紙部駆動機能，バイパス駆動機能などを達成する。
【０００９】
続いて図３に示したフロ−チャ−トを参照して上記複写機１の制御動作について説明する。
既に述べたように従来の複写機においては，前記原稿自動送り装置８を用いて複数枚の原稿について順次原稿読取り手段により原稿を読み取ると共に，読み取られた原稿について，何れかの転写紙用給紙部から供給された転写紙に画像形成及び定着処理を行うものであるが，このような連続した画像形成処理を行っている途中で，例えば紙詰まりなどによって上記画像形成処理が中断された場合に，画像形成処理が既に終了している原稿の次の原稿から再度画像形成処理を再開する手法として種々なものが知られている。以下に述べる処理手順は上記のような画像形成再開に関する優れた方法を提供するものである。
尚，図３，図４において，Ｓ１，Ｓ２…は，処理手順の番号（ステップ）を示すものである。
【００１０】
図３の処理は，複写動作が中断した時，中断の生じた複写機を離れて，別の複写機で残りの原稿に対する複写動作を行なう時の，制御部１０が実行する手順を示すものである。
図３の処理手順の開始に先立ってオペレ−タ−は画像形成のための各種の設定を行う（Ｓ１）。
またこの時，オペレータは，ジャムなどにより複写動作が途中で停止した時に，既に複写が完了している転写紙をバイパストレイＡ５にセットする。また複写動作の停止前のものも含めて，すべての原稿を自動原稿送り装置８にセットする。
上記Ｓ１における設定は，例えば印刷部数や集約の種類などの他に，前記したような画像形成の再開処理を行う場面においては，前記操作部１１に表示された画像形成再開用のリカバリ・キ−を操作者が押す事を含むものである。リカバリ・キーのオンにより，以下に説明する複写動作が途中で中断したときに，中断した原稿から後の原稿について継続して複写動作を実行するリカバリモードが設定される。
上記各種設定が行われると，操作者は複写開始のスタートキーを押すことになる（Ｓ２）。
【００１１】
次のＳ３では，上記リカバリーキーが押されているか，即ち，リカバリモードが設定されているか否かが制御部１０により判断される。
ここでイエスの場合には，続くＳ４のステップで，前記自動原稿送り装置に原稿がセットされているかどうかが判断される。この判断は，自動原稿送り装置に設けられた前記原稿センサ１３が原稿の存在を検出したか否かによって行なわれる。
Ｓ４で原稿がセットされていると判断された場合には，続いて前記バイパストレイＡ５に転写紙がセットされているかどうかが制御部１０により判断される。この判断は，前記バイパストレイＡ５に設けられたバイパストレイ用紙センサ１４からの用紙有無の信号により行われる（Ｓ５）。
ここで上記のように，オペレータがリカバリキーを押してリカバリモードを自分で設定したのであるから，バイパストレイＡ５には，当然に複写動作の終わった転写紙のみがセットされ，自動原稿送り装置には全ての原稿がセットされている。
【００１２】
Ｓ５でバイパストレイＡ５に転写紙がセットされていると判断された場合には，制御部１０は，前記クラッチＣ，モータＭなどを駆動して自動原稿送り装置８にセットされた原稿を順次送り出し，全ての原稿について順次原稿読み取りを実行する。読み取られた原稿画像は，ハードディスクＨＤＤ又はＲＡＭなどの記憶手段に蓄積される。この時，原稿の枚数も前記原稿カウンタ９によりカウントされ，原稿画像と対応関係を保って記憶される（Ｓ６）。
全ての原稿についての読み取りが完了すると，制御部１０は，続いて送り出しローラ２ａ−５を回転させて，バイパストレイＡ５にセットされた転写紙の送り出しを開始する。これに伴って，前記転写紙カウンタ１２により，その送られる転写紙の枚数がカウントされる（Ｓ７）。この動作により制御部１０は，複写を完了した転写紙の枚数を取得する。転写紙の送り動作は，全ての転写紙が，送り終えるまで継続される（Ｓ８）。
この時，感光体への帯電動作や感光体への露光動作は停止されたままとされる。その結果，バイパストレイＡ５から送り出された転写紙には現像処理が行なわれず，これらの転写紙は，新たな画像の形成は一切されないまま，用紙通路２を通って排紙トレイ６に排出される。即ち，転写紙の空送りが行なわれる。
【００１３】
全ての転写紙の排紙トレイ６への空送りが完了すると，転写紙カウンタ１２により検出されたバイパストレイＡ５から送り出された転写紙の枚数から，複写の完了した原稿の枚数が分かるので，まだ複写動作が行なわれていない原稿のページを特定することが出来る。こうして，制御部１０は，既に読み込みの終了している原稿について複写処理が終了したページの次のページ以降の未複写の原稿を特定する（Ｓ９）と共に，次に給紙する転写紙の収容トレイを指定，即ち給紙トレイをバイパストレイＡ５から他の給紙トレイに切り替える（Ｓ１０）。
使用する給紙トレイが選択されると，上記Ｓ９で特定された原稿の次のページについて，Ｓ６で記憶された画像データを用いて，複写動作が実行される。複写動作は，ジャムなどにより再度停止しない限り，上記次のページ以降の全ての原稿について実行される（Ｓ１１）。
【００１４】
こうして，Ｓ１０で切り替えられた用紙トレイから供給された転写紙に対して，複写動作が停止した原稿の次の原稿から順次複写動作が再開され，複写動作が終了した転写紙は，順次排紙トレイ６に排出され，既に排出されている，複写動作停止前に排出された転写紙上に排出されていき，やがて全ての原稿に対応する全ての複写が完了した転写紙が，排紙トレイ６に積載されることになる。
上記手順におけるＳ３において，リカバリモードが設定されていない，即ちリカバリ・キーが押されていないと判断された場合には，通常の複写動作が実行される。
上記Ｓ３においてリカバリモードが設定されているにもかかわらず，上記Ｓ５において，前記バイパストレイＡ５に用紙がセットされていないと判断された場合には，制御部１０は，バイパストレイＡ５に既に複写完了済の転写紙を載置するように操作部１１に表示部に警告を表示する。音声で知らせても良い。
またＳ４において自動原稿送り装置８に原稿がセットされていないと判断された場合には，全ての原稿をまとめて自動原稿送り装置の原稿給紙部にセットするように警告を表示する。
【００１５】
上記した図３の手順では，複写動作の停止が生じた場合に，Ｓ６において全ての原稿の読み込みを行なっているが，Ｓ６の処理に先立ってＳ７及びＳ８の処理を行って複写済み転写紙の枚数を検出し，その後に自動原稿送り装置にセットされた原稿について，上記Ｓ７，Ｓ８の処理で検出された複写済み転写紙の枚数分だけ空送りを行い，空送りが済んだところから，Ｓ１０以降の通常複写動作を残りの原稿について実行するようにしても良い。この場合，複写済み原稿についてまでＳ６における原稿読み取りを行なう必要が無くなるので，処理時間の短縮及び使用記憶領域の縮小が可能となる。
【００１６】
上記図３に示した手順は前記したように複写動作が停止した時に，停止した複写機以外の複写機を用いて，残りの原稿に対する複写処理を実行する場合を示したものであるが，図４は，複写動作の停止した複写機そのものを用いて，残りの原稿についての複写動作を再開するための手順である。
大部分は前記図３と同様であるので，異なる部分についてのみ説明すると，コピー動作中に中断が生じた場合（Ｓ１ａ）に，制御部１０は，まず中断の原因，例えばジャムが解消されたかどうかを判断する（Ｓ２ａ）。
中断の原因が解除されたと判断されると，制御部１０は，操作部１１の表示部に，全ての原稿を自動原稿送り装置にセットするよう要求するコメントと，出力途中の転写紙をバイパストレイＡ５にセットするよう要求するコメントを表示する。
以下の手順は図３のＳ４以降の手順と同一であるので，説明を省略する。この場合も，複写済みの転写紙の枚数分だけ原稿の空送りを実行して，その後の原稿についてのみ，リカバリの複写動作を行なっても良い。
また，図示はしないが，この場合も，オペレータがリカバリキーを押した時にのみ，Ｓ４以下のリカバリ処理を実行するようにしても良い。
【００１７】
上記した手順は，画像形成装置が複写機の場合であるが，ファクシミリの場合にも同様の処理が可能である。
また上の実施形態では，バイパストレイＡ５に複写済み転写紙をセットし，そこで転写紙を空送りすることで複写済み転写紙の枚数を検出するようにしているが，必ずしもバイパストレイを使わずとも，別の給紙トレイＡ１，Ａ２，Ａ３あるいはＡ４に転写紙の送り枚数をカウントする転写紙カウンタ１２を設け，ここから送り出された転写紙については，転写作業を行なわずに空送りするように構成しても良い。
【００１８】
【発明の効果】
以上述べたように，本出願にかかる請求項１記載の発明に係る画像形成装置は，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
複数枚の原稿について順次画像形成処理を行っている途中で画像形成処理が中断された場合に，画像形成処理が既に終了している原稿の次の原稿から画像形成処理を再開する画像形成再開手段とを備えてなる画像形成装置において，
上記画像形成再開手段が，
前記複数の転写紙用給紙部の１つから供給された転写紙について，画像形成することなく前記転写紙用排紙部に排出する転写紙空送り・排出手段と，
上記転写紙空送り・排出手段により排出された転写紙の枚数を検出する空送り転写紙枚数検出手段と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開手段とを備えてなることを特徴とする画像形成装置として構成されている。
従って，画像形成処理がジャムなどの何らかの原因によって中断した場合にも，簡単な操作で中断した後の用紙についての画像形成が行なわれる。また途中で電源がＯＦしたことを原因とする画像形成処理の中断が生じても，その時のメモリの値を使うものではないので，画像形成処理の再開が容易である。また，電源オフにかかる画像形成装置を離れて他の画像形成装置によって再開することも出来るので，長時間に渡って画像形成処理が中断してしまうといった問題も発生しない。
【００１９】
上記画像形成・定着処理再開手段は，上記空送り転写紙枚数検出手段により検出された転写紙の空送り枚数と同じ枚数だけ原稿搬送・排出手段が原稿を送る時に，同時に前記原稿読取手段が原稿の読み取りを行なうように構成することが出来る。この場合，全ての原稿の取り込みが実行されるので，後の画像形成が簡単に行ない得る。
また，上記画像形成・定着処理再開手段は，上記空送り転写紙枚数検出手段により検出された転写紙の空送り枚数と同じ枚数だけ原稿搬送・排出手段が原稿を送るときには，同時に前記原稿読取手段が原稿の読み取りを行なわないように構成することが出来る。
【００２０】
本発明を方法の発明として把握する場合，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法が把握される。
この場合，画像形成再開工程は，画像形成の中断した画像形成装置において実行されてもよく，また画像形成再開工程が，画像形成の中断した画像形成装置以外の画像形成装置において実行される場合もありうる。
更に本発明をコンピュータ・プログラムの発明として把握することも出来る。
この場合，
複数の転写紙用給紙部と，
原稿を順次自動的に送り出し，原稿排出部に排出する原稿搬送・排出手段と，
上記原稿搬送・排出手段により搬送される原稿の原稿画像を読み取る原稿読取手段と，
上記原稿搬送・排出手段により送り出される原稿枚数を検出する原稿枚数検出手段と，
上記原稿読取手段によって読み取られた画像を上記複数の転写紙用給紙部の１つから供給された転写紙に画像形成すると共に定着させて，転写紙用排出部に排出する画像形成・定着手段と，
を備えてなる画像形成装置に，
複数枚の原稿について順次画像形成処理を行っている途中で画像形成処理が中断された場合に，画像形成処理が既に終了している原稿の次の原稿から画像形成処理を再開させるための画像形成再開工程を実行させる画像形成方法において，
上記画像形成再開工程が，
前記複数の転写紙用給紙部の１つから供給された転写紙について，画像形成することなく前記転写紙用排紙部に排出する転写紙空送り・排出工程と，
上記転写紙空送り・排出手段により排出された転写紙の枚数を検出する空送り転写紙枚数検出工程と，
上記空送り転写紙枚数検出手段により検出された転写紙の空送り枚数と同じ枚数だけ原稿枚数検出手段が原稿搬送・排出手段で送られる原稿枚数を検出した後に，上記原稿搬送・排出手段で送り出される原稿について，前記転写紙空送り・排出手段による前記転写紙の空送りで用いられていない転写紙用給紙部からの転写紙の供給を受けて，前記画像形成・定着手段による画像形成・定着処理を再開してなる画像形成・定着処理再開工程とを備えてなることを特徴とする画像形成方法を実行可能なコンピュータ・プログラムが把握される。
【図面の簡単な説明】
【図１】本発明の一実施形態に係る複写機の概要を示す概念図。
【図２】上記一実施形態に係る複写機の制御系統を示すブロック図。
【図３】図２に示した制御部が実行する処理手順の一例を示するフロ−チャ−ト。
【図４】他の処理手順を示すフロ−チャ−ト。
【符号の説明】
１…複写機（画像形成装置）
２…用紙通路
２ａ−１〜５…送り出しローラ
２ｂ−１〜５…レジスト部
３…転写部
５…排出部
６…排紙トレイ
７…原稿排紙部
８…自動原稿送り装置
１０…制御部
１１…操作部
１２…転写紙カウンタ
１３…原稿センサ
１４…バイパストレイ用紙センサ
１ａ…制御系統
【図１】
2004244199.tif 000003
【図２】
2004244199.tif 000004
【図３】
2004244199.tif 000005
【図４】
2004244199.tif 000006